(57)【要約】      （修正有）【課題】むくみやだるさを解消すると共に筋肉痛や肉離れ等の予防を兼ね、血液の循環を良くするとともに揉みの効果を高めるサポ−タを提供する。【解決手段】サポ−ト本体Ａの側部上部に、雄ファスナ−２を設けた上部固定帯１を取り付け、側部下部に雄ファスナ−１２を先端部に設けた下部固定帯１１を取り付け、雄ファスナ−２に対応する側部に雌面ファスナ−２ａを取り付け、雄面ファスナ−１２に対応する側部に雌面ファスナ−１２ａを取り付け、前記上部固定帯１と下部固定帯１１の間に、雄面ファスナ−４を設けた上部締付帯３と先端部に雄面ファスナ−８を設けた下部締布帯７を、先端部が上方になるように傾斜状に設け、上部締付帯３と下部締付帯７の対象の位置に上部締付帯３と下部締付帯７を取り付け、各締付帯の先端部の雄面ファスナ−に対応する部位に雌面ファスナ−４ａ、６ａ，１０ａ、１２ａをそれぞれ設け、サポ−タ本体Ａの中央部分に収納部１３を設けた。【選択図】図３
0003123678.tif 000002
【実用新案登録請求の範囲】
【請求項１】
逆梯形布状のサポ−タ本体の左右何れかの側部の上部に、先端に雄面ファスナ−を設けた上部固定帯を設け、下部に雄面ファスナ−を先端に設けた下部固定体を設け、前記上部固定帯の雄ファスナ−に対応するサポ−タ本体の側部に雌ファスナ−を設け、前記下部固定帯を設けた雄面ファスナ−に対応するサポ−タ本体の側部に雌面ファスナ−を設け、前記上部固定帯と下部固定帯の間に、先端に雄面ファスナ−を設けた上部固定帯と下部固定帯を先端が上方になるように傾斜状に設け、この上部締付帯と下部締付帯の対称の位置に上部締付帯と下部締付帯を設け、各締付帯の先端部の雄面ファスナーに対応する部位に雌面ファスナ−を設け、サポ−タ本体の中央部分に収納部を設けたことを特徴とる編上機構のサポ−タ。
【考案の詳細な説明】
【技術分野】
【０００１】  本考案は、立って作業をする場合やゴルフ、ハイキング、登山等を行なう前に足の大腿部やふくらはぎ、腰部、前腕部等に取り付けることによって前記大腿部、ふくらはぎ、腰部、前腕部等のむくみやだるさを解消すると共に疲れを軽減させ、肉離れ等の怪我を予防する編上機構のサポ−タに関するものである。
【背景技術】
【０００２】  従来、手足に使用するサポ−タはストッキング状のものからテ−ピングテ−プ状のものや脚絆式のもの等、各種提供されているが、近時、最も広く利用されているサポ−タは、弾性の布材からなる筒状のもので、使用する箇所に合わせて大小形成されていて、特にスポ−ツ界では広く利用されている。
【特許文献】  実願昭６３−４６０２９号公報
【特許文献】  実願平０３−３５２３４号公報
【考案の開示】
【考案が解決しようとする課題】
【０００３】  しかし、これらのサポ−タは締め付け具合を調節することができないので着用する人によって体の部分に合わせてサポ−タを選択しなければならなかった。
更に従来のサポ−タの固定用の面ファスナ−付バンド（固定帯）は水平方向に取り付けられていて、横方向に引張して固定するようになっているため、着用者が運動した場合、サポ−タが動いたり、ずり落ちたりする欠点があった。
本考案は真横方向に取り付けられている面ファスナ−付の締付帯を、サポ−タ本体の左右側部に斜めに編み上げ状に取り付けることによって締め付け強度を調整しながらフィットさせ、ずり落ちないように完全に取り付けられる編上機構のサポ−タを提供することを目的とする。
【課題を解決するための手段】
【０００４】  上記目的を達成するため本考案は、逆梯形布状のサポ−タ本体Ａの左右何れかの側部の上部に先端部に雄面ファスナ−２を設けた上部固定帯１を、下部に雄面ファスナ−１２を先端部に設けた下部固定帯１１を設け、前記上部固定帯１の雄面ファスナ−２に対応する側部に雌面ファスナ−２ａを設け、前記下部固定帯１１の雄ファスナ−１２に対応する側部に雌面ファスナ−１２ａを設け、前記上部固定帯１と下部固定帯１１の間に、先端部に雄面ファスナ−４を設けた上部締付帯３、下部締付帯７を、先端が上方になるように傾斜状に設け、この上部締付帯３と下部締付帯７の対称の位置に上部締付帯３と下部締付帯７を設け、各締付帯の先端部の雄面ファスナ−に対応する部位に雌ファスナ−４ａ、６ａ、１０ａ、１２ａをそれぞれ設け、サポ−タ本体Ａの中央部分に収納部１３を設けたものである。
【考案の効果】
【０００５】    上記のように構成された本考案には次のような効果がある。
ａ．上部締付帯及び下部締付帯の先端部が上方になるように傾斜状に設けられているので、各締付帯を斜め上方へ引き揚げることによって圧迫感を適度に調整しながら完全にフィットさせて固定することができる。
ｂ．足の先に滞留する血液を押し上げることによって足のだるさ感を解消し、疲れや腫みを解消する。
ｃ．特に、終日立って作業や運動をする人は、足の疲れを軽減するのみでなく、体全体の疲れを癒す特徴ががある。
ｄ．テニスやゴルフのプレイ後の筋肉疲労や筋肉痛及び手先を使う草取り作業の後の筋肉疲労や筋肉痛を予防すると共に解消する効果がある。
ｅ．キャンプ、ハイキング、登山等のアウトドアライフやスポ−ツ全般に亘っての疲れの軽減、怪我の予防に最適の編上機構のサポ−タである。
【考案を実施するための最良の形態】
【０００６】  以下、本考案の実施の形態を図面に基づいて説明する。
図１は本考案の正面図、図２は本考案の背面図、図３は本考案の斜視図、図４は本考案を大腿部に着用した図、図５は本考案を下腿部に着用した図、図６は本考案を大型にしたものを腰部に着用した図で、図中の符号Ａは逆梯形布状のサポ−タを示し、Ｂは大腿部を示す。【０００７】  １は図１又は図３に示したように、逆梯形布状のサポ−タ本体Ａの左右何れかの側部上端部に水平状に取り付けられた上部固定帯で、先端部に雄面ファスナ−２が取り付けられている。【０００８】  ２ａは上部固定帯１に対応する側部の上部に設けられた雌面ファスナ−で、サポ−タＡを着用する場合、前記上部固定帯１の先端部に取り付けられた雄面ファスナ−２と係合するようになっている。【０００９】  ３は上部固定帯１の下方に図１に示すように先端が上方になるように傾斜状に取り付けられた上部締付帯で、先端部に雄面ファスナ−４が取り付けられている。【００１０】  ４は前記上部締付帯３の先端部に取り付けられた雄面ファスナ−で、４ａは雄面ファスナ−４に対応するサポ−タＡの側部に設けられた雌面ファスナ−で、サポ−タＡを着用する際、雄面ファスナ−４と係合するようになっている。【００１１】  ５は上部締付帯３に対応するサポ−タＡの側部の対称の位置に取り付けられた上部締付帯で、先端部に雄面ファスナ−６が取り付けられている。【００１２】  ６ａは前記雄面ファスナ−６に対応するサポ−タＡの側部に設けられた雌面ファスナ−で、サポ−タＡを着用する際、雄面ファスナ−６と係合するようになっている。【００１３】  ７は前記上部締付帯３の下方に平行して傾斜状に設けられた下部締付帯で、先端部に雄面ファスナ−８が設けられている。【００１４】  ８ａは雄面ファスナ−８に対応するサポ−タＡの側部に設けられた雌面ファスナ−で、サポ−タＡを着用する際、雄面ファスナ−８と係合するようになっている。【００１４】  ９は前記上部締付帯５の下方に平行して傾斜状に設けられた下部締付帯で、先端部に雄ファスナ−１０が設けられている。【００１５】  １０ａは雄ファスナ−１０に対応するサポ−タＡの側部に設けられた雌ファスナ−で、サポ−タＡを着用する際、雄面ファスナ−１０と係合するようになっている。【００１６】  １１は前記下部締付帯７の下方で、逆梯形布状のサポ−タ本体Ａの下端部に前記上部固定帯１と平行して設けられた下部固定帯で、先端部に雄面ファスナ−１２が設けられている。【００１７】  １２ａは下部固定帯１１の先端部に設けられた雄ファスナ−１２に対応するサポ−タ本体Ａの側部に設けられた雌ファスナ−で、サポ−タＡを着用する際、雄ファスナ−１２ａと係合するようになっている。【００１８】  １３は逆梯形布状のサポ−タ本体Ａの中央部分に設けられた収納部で、必要に応じて冷却剤や保温剤が入れられるようになっている。【００１９】  このように構成された本考案の上部固定帯１と下部固定帯１１は図４に示したように左右に取り付けることも可能で、このように取り付けると上部固定帯と下部固定帯を同時に対応する雌ファスナ−に係合することが出来、又、本考案は大きさを変えることによって大腿部Ｂ、下腿部Ｃに限らず前腕部や腰部を保護することが出来る。
ファスナ−は面ファスナ−が適切であり、上部締付帯、下部締付帯は２本に限定されるものではなく必要に応じて多数設けることも可能である。【００２０】  上記のように構成された本考案を実際に使用すする場合は、サポ−タ本体Ａの中央部分を足の大腿部の後側に当て、両端部を前の方へ回し、下部固定帯１１の雄ファスナ−１２と雌ファスナ−１２ａを係合させる。
次に下部締付帯７の雄ファスナ−８と雌ファスナ−８ａを係合させ、下部締付帯９の雄ファスナ−１０と雌ファスナ−１０ａを係合させ、更に上部締付帯３の雄ファスナ−４と雌ファスナ−４ａを係合させ、上部締付帯５の雄ファスナ−６と雌ファスナ−６ａを係合させた後、上部固定帯１の雄ファスナ−２を係合させてサポ−タの取付は完了する。
各固定帯、締付帯の締め付けにあたっては使用者の状態に合わせて適当に締め付け、必要に応じて収納部１３の中に保温剤や冷却剤を入れる。
【図面の簡単な説明】
【００２１】
【図１】  本考案の正面図
【図２】  本考案の背面図
【図３】  本考案の斜視図
【図４】  本考案を大腿部に着用した状態図
【図５】  本考案を下退部に取り付けた状態図
【図６】  本考案を腰部に取り付けた状態図
【符号の説明】
【００２２】    １  上部固定帯
２  雄ファスナ−
２ａ  雌ファスナ−
３  上部締付帯
４  雄ファスナ−
４ａ  雌ファスナ−
５  上部締付帯
６  雄ファスナ−
６ａ  雌ファスナ−
７  下部締付帯
８  雄ファスナ−
８ａ  雌ファスナ−
９  下部締付帯
１０  雄ファスナ−
１０ａ  雌ファスナ−
１１  下部固定帯
１２  雄ファスナ−
１２ａ  雌ファスナ−
１３  収納部
Ａ  サポ−タ本体
Ｂ  大腿部
Ｃ  下腿部
【図１】
0003123678.tif 000003
【図２】
0003123678.tif 000004
【図３】
0003123678.tif 000005
【図４】
0003123678.tif 000006
【図５】
0003123678.tif 000007
【図６】
0003123678.tif 000008